(57)【特許請求の範囲】
【請求項１】
前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記回転扉が閉まる際に箱本体に衝突する衝突方向に対する略平行方向における剛性を、前記内部支持部材よりも前記外部支持部材の方を小さくした冷蔵庫。
【請求項２】
前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記回転扉の閉扉時の衝撃力を前記内部支持部材による吸収力よりも前記外部支持部材による吸収力を大きくした冷蔵庫。
【請求項３】
前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記内部支持部材は、前記回転扉が閉まる際に箱本体に衝突する衝突方向に対する略平行方向の剛性を前記衝突方向に対する略直角方向の剛性に対して同等以上の大きさとし、かつ前記外部支持部材は、前記略平行方向の剛性を前記略直角方向の剛性に対して同等以下の大きさとする冷蔵庫。
【請求項４】
前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記外部支持部材によって支持されている質量をＭとし、前記内部支持部材によって支持されている質量をｍとし、前記回転扉が閉まる際に箱本体に衝突する衝突方向に対する略平行方向において、前記回転扉を閉めた際に発生する前記外部支持部材の変位量をＸ、前記内部支持部材の変位量ｘとした場合、ＭＸ≧ｍｘとなるように、前記回転扉が閉まる際に箱本体に衝突する衝突方向における前記外部支持部材と前記内部支持部材との相関関係を設定した冷蔵庫。
【請求項５】
箱本体の天面と背面に渡って貯蔵室内の最上段収納スペース側に凹ませた凹部を形成し、前記凹部に圧縮機が収納されるものである請求項１から４のいずれか一項に記載の冷蔵庫。
【請求項６】
内部支持部材は、回転扉が閉まる際に箱本体に衝突する衝突方向に対する略平行方向における剛性が、前記衝突方向に対する略直角方向における剛性に対して同等以上の大きさである請求項１または２または４または５に記載の冷蔵庫。
【請求項７】
内部支持部材は複数のコイルばねによって弾性力を得るものであって、回転扉が閉まる際に箱本体に衝突する衝突方向に対し略平行する方向に隣接する前記コイルばね同士の間のピッチが、前記衝突方向に対して略直角方向に隣接する前記コイルばね同士の間のピッチと同等以上の長さに形成した請求項１から６のいずれか一項に記載の冷蔵庫。
【請求項８】
内部支持部材は複数のコイルばねによって弾性力を得るものであって、前記コイルばねの水平方向の剛性を鉛直方向の剛性よりも高くした請求項１から７のいずれか一項に記載の冷蔵庫。
【請求項９】
内部支持部材は複数のコイルばねによって弾性力を得るものであって、前記電動圧縮要素が密閉容器内に前記コイルばねを介して弾性懸架され、前記コイルばねを前記電動圧縮要素の重心近傍に配設した請求項１から８のいずれか一項に記載の冷蔵庫。
【請求項１０】
密閉容器に備えられた吐出配管と電動圧縮要素とを吐出細管により弾性的に接続されるものであって、前記吐出細管は、回転扉が閉まる際に箱本体に衝突する衝突方向に対し略平行する方向の剛性が衝突方向に対して略直角方向の剛性よりも高い請求項１から９のいずれか一項に記載の冷蔵庫。
【請求項１１】
外部支持部材は、記回転扉が閉まる際に箱本体に衝突する衝突方向に対する略平行方向における剛性が、前記衝突方向に対する略直角方向における剛性に対して同等以下の大きさである請求項１または２または、４から１０のいずれか一項に記載の冷蔵庫。
【請求項１２】
外部支持部材は、回転扉が閉まる際に箱本体に衝突する衝突方向に対する略平行方向に可動する可動機構を備えた請求項１から１１のいずれか一項に記載の冷蔵庫。
【請求項１３】
外部支持部材は、密閉容器に固設された複数個の脚に備えられるとともに弾性部材によって弾性力を有するものであって、圧縮機と箱本体とを固定する固定部材が前記弾性部材の内部を連通するものであって、可動機構は前記弾性部材と前記固定部材との水平方向に形成された隙間である請求項１２に記載の冷蔵庫。
【請求項１４】
箱本体と圧縮機とを接続する吐出配管および吸入配管は、回転扉が閉まる際に前記箱本体に衝突する衝突方向に対する略平行方向の剛性が前記衝突方向に対して略直角方向の剛性よりも低くした請求項１から１３のいずれか一項に記載の冷蔵庫。
【請求項１５】
外部支持部材は、圧縮機が密閉容器に固設された複数個の脚に備えられるとともに弾性部材によって弾性力を有するものであって、回転扉が閉まる際に箱本体に衝突する衝突方向に対し略平行する方向に隣接する前記脚の間のピッチを前記衝突方向に対して略直角方向に隣接する前記脚の間のピッチよりも短く形成した請求項１から１４のいずれか一項に記載の冷蔵庫。
【請求項１６】
外部支持部材は、圧縮機と箱本体との間に複数の弾性支持を有するものである請求項１から１５のいずれか一項に記載の冷蔵庫。
【請求項１７】
請求項１から１６のいずれか一項に記載の冷蔵庫に搭載する圧縮機。
【発明の詳細な説明】
【技術分野】
【０００１】
本発明は、圧縮機を冷蔵庫の天面に搭載した冷蔵庫および圧縮機に関するものである。
【背景技術】
【０００２】
近年、冷蔵庫は地球環境保護の観点から更なる省エネルギー化が進むとともに、その使用性や収納性の向上、加えて、アメニティー向上の観点から更なる静音化が求められている。
【０００３】
以下、図面を参照しながら上記従来の冷蔵庫について説明する。
【０００４】
従来この種の冷蔵庫は、機械室を形成する圧縮機などを、ユーザーサイドから見て使い勝手の悪い冷蔵庫本体の天面や、もしくは冷蔵庫本体の背面上部に設置するという方法がとられていた（例えば、特許文献１参照）。
【０００５】
図１６は従来の冷蔵庫の構成断面図、図１７は従来の冷蔵庫を上方から見た回転扉の開閉軌跡の概略断面図、図１８は従来の冷蔵庫の圧縮機の縦断面図である。
【０００６】
一般に、冷蔵庫は、圧縮機５０、蒸発器２８、及び凝縮器（図示せず）、膨張器（図示せず）を配管などで連結構成される冷凍サイクルにより生成された冷気を吐出し、庫内の温度を低下させ、食品などを冷凍、冷蔵保管するために利用される。
【０００７】
冷蔵庫の箱本体１は、上から冷蔵室７、野菜室１０、冷凍室１１という構成からなる。
【０００８】
冷蔵室７は、箱本体１の前面において一端部がヒンジ１２を介して回転可能に支持された回転動式である回転扉１３を有している。また、野菜室１０は、レール（図示せず）を介して前方、後方にスライド可能な往復動式である引出扉１５ａを有しており、冷凍室１１も野菜室１０と同様に、往復動式である引出扉１５ｂを有している。
【０００９】
回転扉１３、及び引出扉１５ａ、１５ｂの内側の縁には、箱本体１のシール面１７と密着することで冷蔵庫内部と外部を遮断させるとともに、扉を閉めたときの衝撃を吸収するためのガスケット１６が装着されている。
【００１０】
また、回転扉１３の内側には、食品などを収納する為の扉ポケット１４が複数個設けられている。
【００１１】
箱本体１の上方には、箱本体１の天面１８と背面１９に渡って冷蔵室７側に凹ませた凹部２０が設けられている。冷蔵室７には食品などを収納する為の収納棚２１が複数個設けられているが、一般的にユーザーサイドから見て使い勝手が良くないとされる最上段の棚２２で区画された最上段収納スペース２２ａと第２段収納スペース２３ａの奥側は、箱本体１の背面上部に設けた凹部２０により凸状に出っ張っている。
【００１２】
凹部２０には圧縮機５０や機械室ファン９０、凝縮器（図示せず）、ドライヤー（図示せず）などが設置されている。
【００１３】
圧縮機５０は、密閉容器５２内に固定子６０および回転子６２からなる電動要素５８と、電動要素５８によって駆動される圧縮要素６３とを収納したものである（例えば、特許文献２参照）。
【００１４】
圧縮要素６３は、回転子６２の回転に伴ってブロック５９に軸支されたクランクシャフト６８が回転し、クランクシャフト６８の偏芯軸部６７の回転運動が、連結手段６９を介してピストン６５に伝えられ、ピストン６５はブロック５９に形成されたボア孔７３内を往復運動することで冷媒５３を吸入圧縮するもので、家庭用の冷蔵庫では一般的に使用されている。
【特許文献１】特開平１１−１８３０１４号公報
【特許文献２】特公昭６２−４４１０８号公報
【発明の開示】
【発明が解決しようとする課題】
【００１５】
しかしながら、上記従来の構成では、回転扉１３の扉ポケット１４に食品などを収納した状態にて回転扉１３を閉めた場合、ガスケット１６と箱本体１のシール面１７が衝突した際に、ガスケット１６にて吸収し切れない衝撃力が、シール面１７から箱本体１に伝わり、冷蔵庫が前後に揺動することがある。この時、冷蔵庫の固定支持部である底面から離れた箇所に圧縮機が配置されている場合には圧縮機の揺動が非常に大きくなり、圧縮機５０の密閉容器５２の内壁と圧縮要素６３が接触し、いわゆる釜当り音が散発的に発生する可能性があった。
【００１６】
加えて、密閉容器５２と圧縮要素６３を構成するブロック５９などが接触すると、両者ともに金属で形成されていることから、金属チッピング片（微細なかけら）が生じて、これがブロック５９とクランクシャフト６８に代表されるような摺動部に噛み込まれると、異常摩耗や圧縮不能（ロック）が生じる可能性があった。
【００１７】
一方で、圧縮機５０内には圧縮された冷媒５３を次行程に搬送する冷媒配管（図示せず）、例えば吐出細管が配設されており、このような吐出細管が、密閉容器５２や圧縮要素６３を構成する部品と頻繁に接触すると、接触部位に集中的に金属疲労が蓄積され、最終的に、吐出細管等の内部部品が脆性破断して、圧縮機５０が圧縮不能になる可能性もあった。
【００１８】
本発明は、上記従来の課題を解決するもので、回転扉１３を閉じた際の衝撃による圧縮機５０の釜当りを抑制し、静音化が図れ、かつ信頼性の高い冷蔵庫を提供することを目的とする。
【課題を解決するための手段】
【００１９】
上記従来の課題を解決するために、本発明は、前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記回転扉が閉まる際に箱本体に衝突する衝突方向に対する略平行方向における剛性を、前記内部支持部材よりも前記外部支持部材の方を小さくしたものである。
【００２０】
これによって、回転扉を閉めたときに衝撃力が発生しても、圧縮機の外部支持部材と内部支持部材との相関関係を工夫することで釜当たりの抑制を図る。より具体的には、回転扉が閉まる際に箱本体に衝突する衝突方向における圧縮機の外部支持部材の剛性を小さくし、内部支持部材の剛性を大きくすることで、圧縮機の内部支持部材よりも圧縮機の外部支持部材の方がより柔らかく動きやすくなるので、閉扉に伴う衝撃力を圧縮機の内部へ伝わる前に外部支持部材によって大きく低減することができ、圧縮機の内部への衝撃力の伝播を低減することで圧縮機の釜当りを抑制することができる。さらに圧縮機の内部支持部材の剛性を高めることで、圧縮機の内部はより動きにくくなることで圧縮機の釜当りを抑制することができる。
【００２１】
また、本発明は、前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記回転扉の閉扉時の衝撃力を前記内部支持部材による吸収力よりも前記外部支持部材による吸収力を大きくしたものである。
【００２２】
これによって、圧縮機の外部支持部材と内部支持部材との相関関係を工夫することで釜当たりの抑制を図る。より具体的には、回転扉を閉めたときに衝撃力が発生しても、回転扉が閉まる際に箱本体に衝突する衝突方向における圧縮機の外部支持部材による衝撃の吸収力を内部支持部材よりも大きくすることで、圧縮機の内部へ衝撃力が伝わる前に、圧縮機の外部支持部材によって衝撃力を大きく低減することができ、圧縮機の内部への衝撃力の伝播を低減することで圧縮機の釜当りを抑制することができる。
【００２３】
また、本発明は前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記内部支持部材は、前記回転扉が閉まる際に箱本体に衝突する衝突方向に対する略平行方向の剛性を前記衝突方向に対する略直角方向の剛性よりも同等以上とし、かつ前記外部支持部材は、前記略平行方向の剛性を前記略直角方向の剛性よりも同等以下とするものである。
【００２４】
これによって、回転扉を閉めたときに衝撃力が発生した場合に、その衝撃力と略平行する方向において、圧縮機の外部支持部材はより柔らかく動きやすくし、圧縮機の内部支持部材は、より硬く動きにくくすることで、外部支持部材によって衝撃力の吸収がより大きく行われるので、圧縮機の内部への衝撃力の伝播を低減することで圧縮機の釜当りを抑制することができる。さらに圧縮機の内部支持部材の剛性を高めることで、圧縮機の内部は密閉容器に対してより動きにくくなることで圧縮機の釜当りを抑制することができる。
【００２５】
また、本発明は前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記外部支持部材によって支持されている質量をＭとし、前記内部支持部材によって支持されている質量をｍとし、前記回転扉が閉まる際に箱本体に衝突する衝突方向に対する略平行方向において、前記回転扉を閉めた際に発生する前記外部支持部材の変位量をＸ、前記内部支持部材の変位量ｘとした場合、ＭＸ≧ｍｘとなるように、前記回転扉が閉まる際に箱本体に衝突する衝突方向における前記外部支持部材と前記内部支持部材との相関関係を工夫したものである。
【００２６】
これによって、圧縮機の外部支持部材と内部支持部材との相関関係を工夫することで釜当たりの抑制を図る。より具体的には、回転扉を閉めたときに衝撃力が発生しても、回転扉が閉まる際に箱本体に衝突する衝突方向における圧縮機の外部支持部材による衝撃の吸収力が内部支持部材よりも大きくなるので、圧縮機の内部へ衝撃力が伝わる前に、圧縮機の外部支持部材によって衝撃力を大きく低減することができ、圧縮機の内部への衝撃力の伝播を低減することで圧縮機の釜当りを抑制することができる。
【発明の効果】
【００２７】
本発明の冷蔵庫は、圧縮機の釜当りを抑制するので、静音化が図れ、信頼性の高い冷蔵庫を提供できるという効果が得られる。
【発明を実施するための最良の形態】
【００２８】
請求項１に記載の発明は、前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記回転扉が閉まる際に箱本体に衝突する衝突方向に対する略平行方向における剛性を、前記内部支持部材よりも前記外部支持部材の方を小さくしたものである。
【００２９】
これによって、圧縮機の外部支持部材と内部支持部材との相関関係を工夫することで釜当たりの抑制を図る。より具体的には、回転扉を閉めたときに衝撃力が発生しても、回転扉が閉まる際に箱本体に衝突する衝突方向における圧縮機の外部支持部材の剛性を小さくし、内部支持部材の剛性を大きくすることで、圧縮機の内部支持部材よりも圧縮機の外部支持部材の方がより柔らかく動きやすくなるので、閉扉に伴う衝撃力を圧縮機の内部へ伝わる前に外部支持部材によって大きく低減することができ、圧縮機の内部への衝撃力の伝播を低減することで圧縮機の釜当りを抑制することができる。さらに圧縮機の内部支持部材の剛性を高めることで、圧縮機の内部はより動きにくくなることで圧縮機の釜当りを抑制することができるので、静音化が図れ、信頼性の高い冷蔵庫を提供することができる。
【００３０】
請求項２に記載の発明は、前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記回転扉の閉扉時の衝撃力を前記内部支持部材による吸収力よりも前記外部支持部材による吸収力を大きくしたものである。
【００３１】
これによって、圧縮機の外部支持部材と内部支持部材との相関関係を工夫することで釜当たりの抑制を図る。より具体的には、回転扉を閉めたときに衝撃力が発生しても、回転扉が閉まる際に箱本体に衝突する衝突方向における圧縮機の外部支持部材による衝撃の吸収力を内部支持部材よりも大きくすることで、圧縮機の内部へ衝撃力が伝わる前に、圧縮機の外部支持部材によって衝撃力を大きく低減することができ、圧縮機の内部への衝撃力の伝播を低減することで圧縮機の釜当りを抑制することができるので、静音化が図れ、信頼性の高い冷蔵庫を提供することができる。
【００３２】
請求項３に記載の発明は、前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記内部支持部材は、前記回転扉が閉まる際に箱本体に衝突する衝突方向に対する略平行方向の剛性を前記衝突方向に対する略直角方向の剛性に対して同等以上の大きさとし、かつ前記外部支持部材は、前記略平行方向の剛性を前記略直角方向の剛性に対して同等以下の大きさとするものである。
【００３３】
これによって、回転扉を閉めたときに衝撃力が発生した場合に、その衝撃力と略平行する方向において、圧縮機の外部支持部材はより柔らかく動きやすくし、圧縮機の内部支持部材は、より硬く動きにくくすることで、外部支持部材によって衝撃力の吸収がより大きく行われるので、圧縮機の内部への衝撃力の伝播を低減することで圧縮機の釜当りを抑制することができる。さらに圧縮機の内部支持部材の剛性を高めることで、圧縮機の内部は密閉容器に対してより動きにくくなることで圧縮機の釜当りを抑制することができるので、静音化が図れ、信頼性の高い冷蔵庫を提供することができる。
【００３４】
請求項４に記載の発明は、前面に開閉する回転扉を備えた貯蔵室が最上段に配置された箱本体を有し、密閉容器内に電動圧縮要素を収納した圧縮機を前記箱本体の天面部に設置したものであって、前記電動圧縮要素は前記密閉容器に対して内部支持部材によって弾性的に支持されているとともに、前記密閉容器は前記箱本体の天面部に外部支持部材によって弾性的に支持されており、前記外部支持部材によって支持されている質量をＭとし、前記内部支持部材によって支持されている質量をｍとし、前記回転扉が閉まる際に箱本体に衝突する衝突方向に対する略平行方向において、前記回転扉を閉めた際に発生する前記外部支持部材の変位量をｘ、前記内部支持部材の変位量Ｘとした場合、ＭＸ≧ｍｘとなるように、前記回転扉が閉まる際に箱本体に衝突する衝突方向における前記外部支持部材と前記内部支持部材との相関関係を設定ｂしたものである。
【００３５】
これによって、圧縮機の外部支持部材と内部支持部材との相関関係を工夫することで釜当たりの抑制を図る。より具体的には、回転扉を閉めたときに衝撃力が発生しても、回転扉が閉まる際に箱本体に衝突する衝突方向における圧縮機の外部支持部材による衝撃の吸収力が内部支持部材よりも大きくなるので、圧縮機の内部へ衝撃力が伝わる前に、圧縮機の外部支持部材によって衝撃力を大きく低減することができ、圧縮機の内部への衝撃力の伝播を低減することで圧縮機の釜当りを抑制することができるので、静音化が図れ、信頼性の高い冷蔵庫を提供することができる。
【００３６】
請求項５に記載の発明は、前記箱本体の天面と背面に渡って前記貯蔵室内の最上段収納スペース側に凹ませた凹部を形成し、前記凹部に圧縮機が収納されるものである。
【００３７】
これによって、箱本体の背面側の凹部に圧縮機を設置することで、圧縮機の前方側に壁および扉が位置することとなるので、圧縮機からの騒音が前面側へ透過することを抑制し、仮に圧縮機で釜当たりが発生した場合でも、釜当たり音が冷蔵庫の前面側へ透過するのを低減することができ、より静音化を図った冷蔵庫を提供することができる。
【００３８】
請求項６に記載の発明は、前記内部支持部材は、前記回転扉が閉まる際に箱本体に衝突する衝突方向に対する略平行方向における剛性が、前記衝突方向に対する略直角方向における剛性に対して同等以上の大きさであるものである。
【００３９】
これによって、圧縮機の内部構成においても、特に釜当たりの発生に起因すると思われる構成部品である内部支持部材の配置関係を工夫することで、釜当たりの抑制を図ることが可能となり、静音化が図れ、信頼性の高い冷蔵庫を提供することができる。
【００４０】
請求項７に記載の発明は、前記内部支持部材は複数のコイルばねによって弾性力を得るものであって、回転扉が閉まる際に箱本体に衝突する衝突方向に対し略平行する方向に隣接する前記コイルばね同士の間のピッチを衝突方向に対して略直角方向に隣接する前記コイルばね同士の間のピッチと同等以上の長さに形成したものである。
【００４１】
これによって、回転扉を閉めたときに発生する衝撃力の方向に対し電動圧縮要素の振れの剛性が高くなるので、電動圧縮要素の振れ回りを抑制することができ、静音化が図れ、信頼性の高い冷蔵庫を提供することができる。
【００４２】
請求項８に記載の発明は、前記内部支持部材は複数のコイルばねによって弾性力を得るものであって、前記コイルばねの水平方向の剛性を鉛直方向の剛性よりも高くしたものである。
【００４３】
これによって、回転扉を閉めたときに発生する衝撃力の方向を含む方向である水平方向に対する電動圧縮要素の振れの剛性が高くなるので、電動圧縮要素の振れ回りを抑制することができ、静音化が図れ、信頼性の高い冷蔵庫を提供することができる。
【００４４】
請求項９に記載の発明は、前記内部支持部材は複数のコイルばねによって弾性力を得るものであって、前記電動圧縮要素が密閉容器内にコイルばねを介して弾性懸架され、前記コイルばねを前記電動圧縮要素の重心近傍に配設したものである。
【００４５】
これによって、圧縮機に外力が作用した場合の振動の振幅は、重心付近が最も小さく重心から離れるにつれて振動が大きくなるような重心まわりに圧縮機全体が振動することから、圧縮機のより重心に近い部分で電動圧縮要素をコイルばねにより弾性懸架することにより、冷蔵庫側から圧縮機に外力がかかった場合に、圧縮機全体の振動を低減することができるので、さらに、冷蔵庫への振動伝達を低減できることとなり、不快な振動や、振動に起因する騒音発生の無い高品位の冷蔵庫を提供することができる。
【００４６】
請求項１０に記載の発明は、密閉容器に備えられた吐出配管と前記電動圧縮要素とを吐出細管により弾性的に接続されるものであって、前記吐出細管は、回転扉が閉まる際に箱本体に衝突する衝突方向に対し略平行する方向の剛性が衝突方向に対して略直角方向の剛性よりも高いものである。
【００４７】
これによって、回転扉を閉めたときに発生する衝撃力の方向に対し吐出細管に剛性が高くなる部位を有することから、吐出細管によって効果的に衝撃を加えられた際の電動圧縮要素の振れ回りを抑制することで、静音化が図れ、信頼性の高い冷蔵庫を提供することができる。
【００４８】
請求項１１に記載の発明は、前記外部支持部材は、前記回転扉が閉まる際に箱本体に衝突する衝突方向に対する略平行方向における剛性が、前記衝突方向に対する略直角方向における剛性に対して同等以下の大きさであるものである。
【００４９】
これによって、特に圧縮機の外部支持構成において、特に釜当たりの発生に起因すると思われる構成部品である外部支持部材の配置関係を工夫することで、釜当たりの抑制を図ることが可能となり、静音化が図れ、信頼性の高い冷蔵庫を提供することができる。
【００５０】
請求項１２に記載の発明は、回転扉が閉まる際に前記箱本体に衝突する衝突方向に対する略平行方向に可動機構を介して圧縮機を凹部に配設したものである。
【００５１】
これによって、回転扉を閉めたときに発生する衝撃力の方向に対し圧縮機が可動可能となるので、密閉容器から電動圧縮要素へ伝達する振動を低減することができるので、圧縮機の釜当りを抑制し、静音化が図れ、信頼性の高い冷蔵庫を提供することができる。
【００５２】
請求項１３に記載の発明は、前記外部支持部材は、密閉容器に固設された複数個の脚に備えられるとともに弾性部材によって弾性力を有するものであって、圧縮機と箱本体とを固定する固定部材が前記弾性部材の内部を連通するものであって、前記可動機構は前記弾性部材と前記固定部材との水平方向に形成された隙間であるものである。
【００５３】
これによって、回転扉を閉めたときに発生する衝撃力の方向に対し圧縮機の外部支持が隙間によって可動することで、衝撃力の方向の剛性が隙間部分においては限りなく０に近くなる程度まで低くすることができ、圧縮機の内部へ衝撃力が伝わる前に圧縮機の外部で大きく衝撃力を吸収することができるので、密閉容器から電動圧縮要素へ伝達する振動を低減することができるので、圧縮機の釜当りを抑制し、静音化が図れ、信頼性の高い冷蔵庫を提供することができる。
【００５４】
請求項１４に記載の発明は、前記箱本体と前記圧縮機とを接続する吐出配管および吸入配管は、前記回転扉が閉まる際に箱本体に衝突する衝突方向に対する略平行方向の剛性が前記衝突方向に対して略直角方向の剛性よりも低くしたものである。
【００５５】
これによって、回転扉を閉めたときに発生する衝撃力を吐出配管および吸入配管により吸収し、密閉容器から電動圧縮要素へ伝達する振動を低減することができるので、圧縮機の釜当りを抑制し、静音化が図れ、信頼性の高い冷蔵庫を提供することができる。
【００５６】
請求項１５に記載の発明は、前記外部支持部材は、圧縮機が密閉容器に固設された複数個の脚に備えられるとともに弾性部材によって弾性力を有するものであって、回転扉が閉まる際に箱本体に衝突する衝突方向に対し略平行する方向に隣接する前記脚の間のピッチを衝突方向に対して略直角方向に隣接する前記脚の間のピッチよりも短く形成したものである。
【００５７】
これによって、回転扉を閉めたときに発生する衝撃力の方向に対し圧縮機が振れ易くなり、密閉容器から電動圧縮要素へ伝達する振動を低減することができるので、圧縮機の釜当りを抑制し、静音化が図れ、信頼性の高い冷蔵庫を提供することができる。
【００５８】
請求項１６に記載の発明は、前記外部支持部材は、前記圧縮機と前記箱本体との間に複数の弾性支持を有するものである。
【００５９】
これによって、回転扉を閉めたときに発生する衝撃力を２重以上の複数の弾性部材により吸収できるので、圧縮機の内部へ衝撃力が伝わる前に圧縮機の外部で大きく衝撃力を吸収することができるので、密閉容器から電動圧縮要素へ伝達する振動をより低減することができるので、圧縮機の釜当りを抑制し、静音化が図れ、信頼性の高い冷蔵庫を提供することができる。
【００６０】
請求項１７に記載の発明は、請求項１から１６のいずれか一項に記載の冷蔵庫に搭載する圧縮機である。
【００６１】
これによって、冷蔵庫の天面に配置するような圧縮機において、圧縮機の釜当りを抑制するので、静音化が図れ、信頼性の高い圧縮機を提供できるという効果が得られる。
【００６２】
以下、本発明の実施の形態について、図面を参照しながら説明する。なお、この実施の形態によってこの発明が限定されるものではない。
【００６３】
（実施の形態１）
図１は本発明の実施の形態１における冷蔵庫の構成断面図、図２は同実施の形態における冷蔵庫の正面図、図３は同実施の形態における冷蔵庫を上方から見た回転扉の開閉軌跡の概略断面図、図４は同実施の形態における冷蔵庫正面から見た圧縮機の縦断面図、図５は同実施の形態における冷蔵庫天面から見た圧縮機の平面断面図、図６は同実施の形態における回転扉を閉めたときの圧縮機の挙動を示す特性図である。
【００６４】
以下、図１、図２、図３、図４、図５、図６に基づいて本発明の実施の形態について説明する。
【００６５】
図１から図６において、冷蔵庫は、圧縮機１５０と、圧縮機１５０に接続された吐出配管１４０と、凝縮器（図示せず）と、減圧器であるキャピラリー１４２と、水分除去を行うドライヤー（図示せず）と、庫内ファン１９１を近傍に配置した蒸発器１２８と、吸入配管１４１を環状に接続して構成される冷凍サイクルを箱本体１０１に内蔵しており、この冷凍サイクルにより生成された冷気を吐出し、貯蔵庫１０６内の温度を低下させ、食品などを冷凍、冷蔵保管する。
【００６６】
箱本体１０１は、ＡＢＳなどの樹脂体を真空成形した内箱１０２とプリコート鋼板などの金属材料からなる磁性体を用いた外箱１０３とで構成された空間に発泡充填する断熱体１０４を注入してなる断熱壁を備えている。断熱体１０４は、例えば硬質ウレタンフォームやフェノールフォームやスチレンフォームなどが用いられる。また、発泡材として、ハイドロカーボン系のシクロペンタンを用いれば、地球温暖化防止の観点でさらに良い。
【００６７】
箱本体１０１は複数の断熱区画に区分されており、箱本体１０１の前面には、各々、扉１０５を設けている。断熱区画された貯蔵室１０６は、上から、冷蔵室１０７、並べて設けた切替室１０９ａおよび製氷室１０９ｂ、野菜室１１０、冷凍室１１１となっている。
【００６８】
冷蔵室１０７には、前面の中ほどから分割線１３０にて分割され左右両側を支点として、両端部がヒンジ１１２を介して回転可能に支持された回転動式の回転扉１１３ａ、１１３ｂが２枚設けられている。正面から見て、左側の回転扉１１３ａの横幅と右側の回転扉１１３ｂの横幅との比率はおよそ４：６としている。また、各々の回転扉１１３ａ、１１３ｂには、食品などを収納するスペースとして扉ポケット１１４が複数個設けられている。
【００６９】
一方、切替室１０９ａ、製氷室１０９ｂ、野菜室１１０、及び冷凍室１１１はいずれも引出室１０８となっており、いずれも、レール（図示せず）を介して前方、後方にスライド可能な往復動式である引出扉１１５ａ、１１５ｂ、１１５ｃ、１１５ｄが設けられている。
【００７０】
回転扉１１３ａ、１１３ｂ、及び引出扉１１５ａ、１１５ｂ、１１５ｃ、１１５ｄの内側の縁には、箱本体１０１のシール面１１７と密着することで冷蔵庫内部と外部を遮断させるとともに、各々の扉１０５を閉めたときの衝撃を吸収するためのガスケット１１６が装着されている。
【００７１】
ガスケット１１６は、耐久性、柔軟性、経済性などの特長を合わせ持ち、優れた加工性を有する軟質塩化ビニール樹脂体を押出成形することで形成している。ガスケット１１６には、永久磁石と、隔壁にて多数に区分された空気ポケットが内蔵されており、ガスケット１１６が密着される箱本体１０１側のシール面１１７は、外箱１０３の一端面とすることで、磁性体としてなる。
【００７２】
箱本体１０１の上方には、箱本体１０１の天面１１８と背面１１９に渡って冷蔵室１０７側に凹ませた凹部１２０が設けられている。冷蔵室１０７には食品などを収納するための収納棚１２１が複数個設けられており、凹部１２０は、冷蔵室１０７内の最上段棚１２２と内箱１０２で区画された最上段収納スペース１２２ａ側、及び第２段棚１２３と最上段棚１２２で区画された第２段棚収納スペース１２３ａ側に凸状に出張っている。
【００７３】
凹部１２０には、ビスなどで固定された天面カバー１２６が設けられており、圧縮機１５０、機械室ファン１９０、凝縮器（図示せず）、ドライヤー（図示せず）、吐出配管１４０、吸入配管１４１の一部などを収納している。
【００７４】
尚、圧縮機１５０は、回転扉１１３ｂの後方に位置する。加えて、天面カバー１２６の上部は、天面１１８と略同一平面としており、圧縮機１５０の頂部１５１は天面１１８より低い位置にある。  また、冷蔵庫の組立作業性やサービス性を向上させることを狙いに、配管の密集度を軽減し、後方から配管接続部を目視できるようにするために、冷蔵庫背面１１９から見て手前側の圧縮機１５０の側面に形成された吐出チューブ１４０ａ、吸入チューブ１４１ａに、それぞれ吐出配管１４０、吸入配管１４１が左右に振り分けられて溶接される。
【００７５】
次に、圧縮機１５０の構成について説明する。
【００７６】
厚さ２〜４ｍｍの圧延鋼板を深絞りにより成形してなるすり鉢状の下容器１７２と逆すり鉢状の上容器１７３を係合し、係合部分を全周溶接して密閉容器１５２が形成される。密閉容器１５２の内部には、冷媒１５３としてイソブタン（Ｒ６００ａ）が充填され、冷凍機油１５４として鉱油を貯留しているとともに、電動圧縮要素１５８が配置されている。電動圧縮要素１５８は、密閉容器１５２の底部に内部支持部材であるコイルばね１７０を介して弾性支持されている。
【００７７】
尚、コイルばね１７０の水平方向である円周方向の剛性は電動圧縮要素１５８を弾性支持する鉛直方向である長手方向の剛性よりも高く形成している。
【００７８】
また、冷蔵庫の前面１４３に対し直角方向のコイルばね間ピッチＷｓｂは、全面１４３に対し平行方向のコイルばね１７０間ピッチＷｓａよりも同等以上の長さとなるように形成している。
【００７９】
電動圧縮要素１５８は、ブロック１５９の下方に固定されインバータ駆動回路（図示せず）とつながっている固定子１６０と、永久磁石を内蔵し主軸部１６２の下方に固定された回転子１６１から構成され、インバータ駆動用の電動モータを形成しており、インバータ駆動回路によって、商用電源周波数を下回る運転周波数を含む複数の運転周波数で駆動される。
【００８０】
また、電動圧縮要素１５８は、シリンダ１６４を形成するブロック１５９と、シリンダ１６４のボア孔１７５内に往復自在に嵌入されたピストン１６５と、ブロック１５９の軸受１６６に軸支される主軸部１６２と偏芯軸部１６７からなるクランクシャフト１６８と、偏芯軸部１６７とピストン１６５を連結するコンロッド１６９とを備えており、クランクシャフト１６８の回転運動がピストン１６５の往復運動に変換される。
【００８１】
また、ピストン１６５とボア孔１７５内とで形成される圧縮室１７６の空間体積が、ピストン１６５の往復運動により増減変化することで、密閉容器１５２内の冷媒１５３は、吸入マフラー１７７の吸入口１７８から吸込まれ、シリンダヘッド１７９の内部に設けられたバルブ（図示せず）を介して圧縮室１７６内にて吸入、圧縮された後、ブロック１５９に形成された吐出マフラー１８０から、吐出細管１７１、密閉容器１５２に備えられた吐出配管である吐出チューブ１４０ａを経て、密閉容器１５２外の吐出配管１４０に吐出される。
【００８２】
吐出細管１７１は、内径１．５ｍｍから３．０ｍｍの鋼管であり、密閉容器１５２の吐出チューブ１４０ａと接続部１８１にて弾性をもって接合されている。
【００８３】
密閉容器１５２の下方には、複数個の脚１５５が固着されており、各々の脚１５５に係止された弾性部材１５６を介して、冷蔵庫の凹部１２０に固設されたピン１２７に、弾性部材１５６の孔１５７を遊嵌させることで位置を固定している。これによりピン１２７と弾性部材１５６の孔１５７の間には隙間１２９を有することになる。
【００８４】
また、冷蔵庫の前面１４３に対し平行方向の脚１５５間ピッチＷｍａは、全面１４３に対し直角方向の脚１５５間ピッチＷｍｂよりも長くなるように形成している。
【００８５】
次に、回転扉１１３ａ、１１３ｂを閉めたときの箱本体１０１との衝突時の衝撃力と、その圧縮機１５０への影響について説明する。
【００８６】
尚、円弧１３２ａは回転扉１１３ａにおけるヒンジ１１２側とは反対側の最端部の開閉軌跡、円弧１３２ｂは回転扉１１３ｂにおけるヒンジ１１２側とは反対側の最端部の開閉軌跡である。
【００８７】
一般的に、回転体の勢いを表す量として角運動量がある。角運動量は質量、周方向速度、回転半径のそれぞれに比例する。つまり、回転扉１１３ａ、１１３ｂを閉めたときに、回転扉１１３ａ、１１３ｂに与えられた角運動量が大きいほど、回転扉１１３ａ、１１３ｂと回転扉１１３ａ、１１３ｂを受ける側、すなわち箱本体１０１のシール面１１７の衝突時に発生する衝撃力は大きくなる。また、衝撃力は、冷蔵庫の前面１４３に対し垂直方向に影響を及ぼしていく。
【００８８】
回転扉１１３ｂを例に挙げて説明すると、総体的な角運動量に影響を及ぼす因子は、回転扉１１３ｂと扉ポケット１１４に収納された食品などを合せた質量と、シール面１１７との衝突直前における回転扉１１３ｂの周方向速度と、回転扉１１３ｂの横幅、すなわち回転扉１１３ｂの開閉軌跡の円弧１３２ａ半径である。これらが、ガスケット１１６とシール面１１７との衝突時に、冷蔵庫の箱本体１０１に加えられる総体的な衝撃力を支配する。
【００８９】
また、回転扉１１３ｂに与えられる角運動量の分布の観点から、回転扉１１３ｂの回転支点であるヒンジ１１２から離れたポイントほど周方向速度は大きくなり、角運動量が大きくなる。食品などを偏り無く扉ポケット１１４に収納した状態であれば、通常では、回転扉１１３ｂにおけるヒンジ１１２とは反対側の最端部にて角運動量が最大となる分布を呈する。
【００９０】
回転扉１１３ｂを閉めると、ガスケット１１６に内蔵された永久磁石と、磁性体で形成されたシール面１１７の間に磁力が作用し、ガスケット１１６がシール面１１７と密着する。この時、ガスケット１１６に内蔵された空気ポケットが、衝撃力をある程度吸収するものの、吸収し切れない衝撃力がシール面１１７を通じて冷蔵庫の箱本体１０１に伝わる。
【００９１】
昨今では、主力となる冷蔵庫の容量帯は３００Ｌ以上が基調である。これにより、冷蔵庫サイズが大きくなるに伴って、回転扉１１３ｂの開閉軌跡である円弧１３２ｂ半径は大きくなり、加えて、扉ポケット１１４への収納量の増加により、収納品などを合せた回転扉１１３ｂの総重量は必然的に重くなり、回転扉１１３ｂが閉まる際に箱本体１０１に加えられる衝撃力は相乗的に大きくなると推察される。
【００９２】
以下、図６に基づいて圧縮機の釜当りのメカニズムを説明する。
【００９３】
密閉容器１５２の側面に形成された吐出チューブ１４０ａ、及び吸入チューブ１４１ａは、冷蔵庫サイドに形成された吐出配管１４０、吸入配管１４１と各々溶接されており、また、密閉容器１５２の下方に固着された脚１５５は、ピン１２７を介して凹部１２０の設置面１２０ａに固定されていることから、圧縮機１５０の外殻を構成する密閉容器１５２は、冷蔵庫に拘束されているような状態であると言える。そのため、回転扉１１３ｂを閉めたときの前面１４３からの衝撃（図中、矢印Ａ）により、冷蔵庫が前後方向（図中矢印Ｂ１方向、Ｂ２方向）に揺動すると、密閉容器１５２は冷蔵庫に引っ張られる形で同様に前後方向に揺動することになる。
【００９４】
一方、衝撃を加えられた瞬間の圧縮機１５０の内部では、電動圧縮要素１５８には、弾性支持（図４参照）により見掛け上Ｂ２方向に慣性力が作用するのに加え、密閉容器１５２はその振動に伴って、矢印Ｂ１方向に変位するとともに、密閉容器１５２に固設された吐出チューブ１４０ａに溶接された吐出細管１７１を介して電動圧縮要素１５８を矢印Ｂ１方向に引っ張る力が作用して、コイルばね１７０にねじれが生じる。この後、コイルばね１７０、及び吐出細管１７１の弾性による復元力によって、電動圧縮要素１５８は、吐出細管１７１と密閉容器１５２の吐出チューブ１４０ａを接合した接続部１８１を中心とした円弧状の矢印Ｃ１、Ｃ２方向に振れ回ることになる。
【００９５】
このような密閉容器１５２の揺動と電動圧縮要素１５８の振れ回りによって、電動圧縮要素１５８と密閉容器１５２の内壁が接触し、いわゆる釜当りが発生していたと考えられる。
【００９６】
本実施の形態によれば、図６に示すように、回転扉１１３ａ、１１３ｂが閉まる際に箱本体１０１に衝突する衝突方向Ａに対し略平行する方向に隣接するコイルばね１７０同士の間のピッチＷｓｂを、衝突方向Ａに対して略直角方向に隣接するコイルばね１７０同士の間のピッチＷｓａと同等となるように形成している。これは、仮に圧縮機１５０を冷蔵庫の下部に置くような釜当たりの課題がない場合には、図６のような断面形状を有する圧縮機１５０の場合、釜当たりの衝突方向Ａと直角する方向が密閉容器１５２および電動圧縮要素１５８の長手方向となっており、通常であれば、より安定して電動圧縮要素を支持する為にコイルばね１７０同士のピッチも長手方向の方が長く、衝突方向Ａの方が短く設定するのが普通である。さらに、図６のように、電動圧縮要素１５８の長手方向と略平行にピストン１５９が往復動を行っている場合には、長手方向の振動がより大きくなりやすいので、よりピストン１５９の往復動方向を安定して支持する為に、ピストン方向のコイルばね１７０同士のピッチを長くすると考えられる。
【００９７】
しかし、本発明のように、閉扉による釜当たりの抑制を図る場合には、衝突方向Ａに対して略直角方向に隣接するコイルばね１７０同士の間のピッチＷｓａと同等となるように形成することで、衝突方向Ａに主眼を置いて、衝突方向Ａと略平行方向の剛性をより高め、電動圧縮要素１５８が衝突方向と略平行な方向により動きにくくすることで、釜当たりの抑制を図ることができる。
【００９８】
なお、本実施の形態では、衝突方向Ａに対し略平行する方向に隣接するコイルばね１７０同士の間のピッチＷｓｂを、衝突方向Ａに対して略直角方向に隣接するコイルばね１７０同士の間のピッチＷｓａと同等となるように形成したが、釜当たり抑制の視点からみれば、より好ましくは衝突方向Ａに対し略平行する方向に隣接するコイルばね１７０同士の間のピッチＷｓｂを、衝突方向Ａに対して略直角方向に隣接するコイルばね１７０同士の間のピッチＷｓａよりも大きくする方がより衝突方向Ａに対する剛性が高まり、釜当たり抑制効果が大きくなる。ただし、本実施の形態のように、他の圧縮機１５０内部の構成部品や振動分布等を考慮して、本実施の形態のように少なくとも同等することでも、従来一般的であった電動圧縮要素１５８の長手方向が長い場合と比較して十分に有効な効果が得られる。
【００９９】
このように本実施の形態では、回転扉１１３ａ、１１３ｂを閉めたときの衝撃力の方向に対し、電動圧縮要素１５８の振れの剛性が高くなり、振幅を小さくすることができる。
【０１００】
以上のことから、回転扉１１３ａ、１１３ｂを閉めたときの衝撃による圧縮機１５０の釜当りを抑制することができるとともに、釜当りによって、生成したチッピング片を噛み込むことで生じる異常摩耗や、吐出細管１７１の疲労破断を回避することができる。よって、静音化が図れ、信頼性の高い冷蔵庫を提供することができる。
【０１０１】
また、本実施の形態では、コイルばね１７０の水平方向である円周方向の剛性は電動圧縮要素１５８を弾性支持する鉛直方向である長手方向の剛性よりも高く形成しているので、閉扉による衝突方向Ａに対してはより剛性を高めながら、鉛直方向は剛性を低くすることで、ピストン１６５の往復運動に伴う圧縮の際の振動がコイルばね１７０の鉛直方向を介して密閉容器１５２へ伝達する際には振動を減衰することができる。すなわち、圧縮機１５０の運転により圧縮機１５０内部より発生する定常振動が箱本体へ伝達するのを低減した上で、閉扉に伴って発生する圧縮機１５０の外部からの衝撃に対しては電動圧縮要素１５８の動きを抑制することができ、電動圧縮要素１５８の密閉容器１５２に対する振幅をさらに小さくしている構成であり、圧縮機１５０の釜当りを回避することができる。
【０１０２】
更に、本実施の形態によれば、密閉容器１５２は複数個の脚１５５に係止された弾性部材１５６を介して、冷蔵庫の凹部１２０に固設されたピン１２７に、弾性部材１５６の孔１５７を遊嵌させることで位置を固定し、ピン１２７と弾性部材１５６の孔１５７の間の少なくとも衝撃方向Ａと略平行する方向に可動するような可動機構である隙間１２９を有している。
【０１０３】
これにより、回転扉１１３ａ、１１３ｂが閉まる際に箱本体１０１に衝突した場合において、圧縮機１５０が箱本体１０１から受ける衝撃力を吸収する際に、まず隙間１２９部分を外部支持部材である弾性部材１５６が圧縮機１５０とともに動くことによって大幅に吸収することができる。この際にあまり大きく動くと圧縮機１５０と箱本体１０１とを接続している配管等に損傷等を与えるため、この隙間寸法はこれらを考慮した上で最大のものを設定すればよい。
【０１０４】
また、この可動機構である隙間１２９を設けることで、外部支持部材である弾性部材１５６によって支持されている質量をＭとし、内部支持部材であるコイルばね１７０によって支持されている質量をｍとした場合に、衝突方向Ａに対する略平行方向において、回転扉１１３ａ，１１３ｂを閉めた際に発生する弾性部材１５６の変位量をＸ、コイルばね１７０の変位量Ｘとした場合、ＭＸ≧ｍＸとなるように設計することができる。
【０１０５】
このように、圧縮機１５０の外部支持部材と内部支持部材との相関関係を工夫することで釜当たりの抑制を図ることができる。より具体的には、回転扉１１３ａ，１１３ｂを閉めたときに衝撃力が発生しても、回転扉が閉まる際に箱本体に衝突する衝突方向Ａにおける圧縮機１５０の外部支持部材による衝撃の吸収力が内部支持部材よりも大きくなるので、圧縮機１５０の内部へ衝撃力が伝わる前に、圧縮機１５０の外部支持部材によって衝撃力を大きく低減することができ、圧縮機１５０の内部への衝撃力の伝播を低減することで圧縮機１５０の釜当りを抑制することができる。
【０１０６】
圧縮機１５０へ伝達する衝撃力を低減できるので、圧縮機１５０の釜当りを抑制して静音化が図れ、信頼性の高い冷蔵庫を提供することができる。
【０１０７】
また、本実施の形態によれば、図６に示すように、回転扉１１３ａ、１１３ｂが閉まる際に箱本体１０１に衝突する衝突方向Ａに対し略平行する方向に隣接する脚１５５同士の間のピッチＷｍｂは、衝突方向Ａに対して略直角方向に隣接する脚１５５同士の間のピッチＷｍａよりも短くなるように形成している。
【０１０８】
これにより、ピッチＷｂを短くして、回転扉１１３ａ、１１３ｂが閉まる際に箱本体１０１に衝突する衝突方向Ａに対して略平行する方向に外部から受けた振動に対し圧縮機１５０全体を動きやすくして衝撃力を吸収し、密閉容器１５２から電動圧縮要素１５８へ伝達する衝撃力を低減でき、圧縮機１５０の釜当りを抑制するので、静音化が図れ、信頼性の高い冷蔵庫を提供することができる。
【０１０９】
このように、外部支持部材と内部支持部材のそれぞれの支持部材間のピッチを工夫することで、回転扉１１３ａ、１１３ｂを閉めたときに衝撃力が発生した場合に、その衝撃力と略平行する方向において、圧縮機１５０の外部支持部材はより柔らかく動きやすくし、圧縮機１５０の内部支持部材は、より硬く動きにくくすることで、外部支持部材によって衝撃力の吸収がより大きく行われるので、圧縮機１５０の内部への衝撃力の伝播を低減することで圧縮機１５０の釜当りを抑制することができ、静音化が図れ、信頼性の高い冷蔵庫を提供することができる。
【０１１０】
また本実施の形態のように、衝突方向に対する略平行方向における剛性を、前記内部支持部材よりも前記外部支持部材の方を小さくすることで、回転扉１１３ａ、１１３ｂの閉扉時の衝撃力を内部支持部材による吸収力よりも外部支持部材による吸収力を大きくすることができ、圧縮機の内部への衝撃力の伝播を低減することで圧縮機の釜当りを抑制することができる。よって、回転扉を閉めたときに衝撃力が発生しても、回転扉が閉まる際に箱本体に衝突する衝突方向における圧縮機の外部支持部材による衝撃の吸収力を内部支持部材よりも大きくすることで、圧縮機の内部へ衝撃力が伝わる前に、圧縮機の外部支持部材によって衝撃力を大きく低減することができ、圧縮機の内部への衝撃力の伝播を低減することで圧縮機の釜当りを抑制することができる。
【０１１１】
なお、本実施の形態では、可動機構として、ピン１２７と弾性部材１５６の孔１５７の間の少なくとも衝撃方向Ａと略平行する方向に可動するような可動機構である隙間１２９を有しているが、例えば、品質保持や生産効率等の都合上、仮にこの隙間を衝撃方向Ａと垂直な方向にも同様に与えた場合でも、圧縮機の外部支持部材同士のピッチを衝突方向Ａのほうが衝突方向Ａと直角の方向よりも大きくするといったこと等で、外部支持部材が、回転扉が閉まる際に箱本体に衝突する衝突方向に対する略平行方向における剛性が、衝突方向に対する略直角方向における剛性に対して同等以下の大きさとなれば、本発明の効果が同様に得られる。また、隙間を例えば弾性部材１５６に略円筒形の孔を空けてピン１２７をその中心に備えると、ピンのほぼ全方向の水平方向において同等の隙間ができるが、そういった場合も、上記のように隙間以外の外部支持部材との関係を工夫することで、回転扉が閉まる際に箱本体に衝突する衝突方向に対する略平行方向における剛性が、衝突方向に対する略直角方向における剛性に対して同等以下の大きさとなるように設定することで、より弾性部材の組み付けの際の品質および製造工程の生産性が向上するため、実際の製品においてはこういった選択肢も可能である。
【０１１２】
（実施の形態２）
図７は本発明の実施の形態２における冷蔵庫の構成断面図、図８は同実施の形態における冷蔵庫の正面図、図９は同実施の形態における冷蔵庫を上方から見た回転扉の開閉軌跡の概略断面図、図１０は同実施の形態における冷蔵庫正面から見た圧縮機の縦断面図、図１１は同実施の形態における回転扉を閉めたときの圧縮機の挙動を示す特性図である。
【０１１３】
以下、図７、図８、図９、図１０、図１１に基づいて本実施の形態の説明を進めるが、実施の形態１と同一構成については、同一符号を付して詳細な説明を省略する。
【０１１４】
図７から図１１において、冷蔵庫は、圧縮機２５０と、圧縮機２５０に接続された吐出配管１４０と、凝縮器（図示せず）と、減圧器であるキャピラリー１４２と、水分除去を行うドライヤー（図示せず）と、庫内ファン１９１を近傍に配置した蒸発器１２８と、吸入配管１４１を環状に接続して構成される冷凍サイクルを箱本体２０１に内蔵しており、この冷凍サイクルにより生成された冷気を吐出し、貯蔵庫２０６内の温度を低下させ、食品などを冷凍、冷蔵保管する。
【０１１５】
箱本体２０１は複数の断熱区画に区分されており、箱本体２０１の前面には、各々、扉２０５を設けている。断熱区画された貯蔵室２０６は、上から、冷蔵室２０７、並べて設けた切替室１０９ａおよび製氷室１０９ｂ、野菜室１１０、冷凍室１１１となっている。
【０１１６】
冷蔵室２０７には、前面の中ほどから分割線１３０にて分割され左右両側を支点として、両端部がヒンジ１１２を介して回転可能に支持された回転動式の回転扉１１３ａ、１１３ｂが２枚設けられている。正面から見て、左側の回転扉１１３ａの横幅と右側の回転扉２１３ｂの横幅との比率はおよそ４：６としている。また、各々の回転扉１１３ａ、１１３ｂには、食品などを収納するスペースとして扉ポケット１１４が複数個設けられている。
【０１１７】
一方、切替室１０９ａ、製氷室１０９ｂ、野菜室１１０、及び冷凍室１１１はいずれも引出室１０８となっており、いずれも、レール（図示せず）を介して前方、後方にスライド可能な往復動式である引出扉１１５ａ、１１５ｂ、１１５ｃ、１１５ｄが設けられている。
【０１１８】
回転扉１１３ａ、１１３ｂ、及び引出扉１１５ａ、１１５ｂ、１１５ｃ、１１５ｄの内側の縁には、箱本体２０１のシール面１１７と密着することで冷蔵庫内部と外部を遮断させるとともに、各々の扉２０５を閉めたときの衝撃を吸収するためのガスケット１１６が装着されている。
【０１１９】
箱本体２０１の上方には、箱本体２０１の天面２１８と背面２１９に渡って冷蔵室２０７側に凹ませた凹部２２０が設けられている。冷蔵室２０７には食品などを収納するための収納棚２２１が複数個設けられており、凹部２２０は、冷蔵室２０７内の最上段棚２２２と内箱２０２で区画された最上段収納スペース２２２ａ側、及び第２段棚２２３と最上段棚２２２で区画された第２段棚収納スペース２２３ａ側に凸状に出張っている。
【０１２０】
凹部２２０には、ビスなどで固定された天面カバー１２６が設けられており、圧縮機２５０、機械室ファン１９０、凝縮器（図示せず）、ドライヤー（図示せず）、吐出配管１４０、吸入配管１４１の一部などを収納している。
【０１２１】
尚、圧縮機２５０は、回転扉１１３ｂの後方に位置する。加えて、天面カバー１２６の上部は、天面１１８と略同一平面としており、圧縮機２５０の頂部２５１は天面１１８より低い位置にある。
【０１２２】
次に、圧縮機２５０の構成について説明する。
【０１２３】
密閉容器２５２の内部には、冷媒１５３としてイソブタン（Ｒ６００ａ）が充填され、冷凍機油１５４として鉱油を貯留しているとともに、電動圧縮要素２５８が配置されている。電動圧縮要素２５８は、密閉容器２５２の底部にコイルばね２７０を介して弾性支持されている。
【０１２４】
吐出細管２７１は、冷蔵庫の前面１４３に対し略垂直方向に延在した部位２７１ａを有することで、略垂直方向の吐出細管２７１の剛性が高くなるように形成されている。すなわち、電動圧縮要素２５８と吐出配管２４０ａとを弾性的に接続する吐出細管２７１は、回転扉１１３ａ、１１３ｂが閉まる際に箱本体２０１に衝突する衝突方向Ｄに対して略平行する方向に形成されている部分２７１ａを有することで、回転扉１１３ａ、１１３ｂが閉まる際に箱本体２０１に衝突する衝突方向Ｄに対して略平行する方向の剛性を上げている。この衝突方向に対して略平行する方向に形成されている部分２７１ａとは直線からなる平行のみでなく、曲線や湾曲部を有するものであってももちろん良い。また、この吐出細管２７１と密閉容器２５２の吐出チューブ２４０ａは、接続部２８１にて弾性をもって接合されている。
【０１２５】
また、図１１に示すように、吐出細管２７１は、密閉容器との接続部２８１と、電動圧縮要素２５８との接続部２５８ａの近傍とが共に密閉容器２５２の衝突方向Ｄと略平行して形成されているので、衝突方向Ｄに対して略平行する方向に形成されている部分２７１ａを複数有していることとなり、衝突方向Ｄに対して略平行する方向の剛性を上げている。また、これらの衝突方向Ｄに対して略平行する方向に形成されている部分２７１ａは、密閉容器２５２との接続部２８１の近傍および電動圧縮要素２５８との接続部２５８ａの近傍に配置されており、言い換えると吐出細管２７１の固定端近くに衝突方向Ｄに対して略平行する方向に形成されている部分２７１ａを備えることで、衝突方向Ｄに対して略平行する方向の剛性をさらに上げることができ、衝突方向Ｄに対して略平行する方向においては電動圧縮要素２５８が密閉容器２５２に対してより動きにくく配置されており、衝突方向Ｄに衝撃力が加わった場合でも圧縮機の釜当たりを抑制することができる。
【０１２６】
従って、本実施の形態によれば、吐出細管２７１は、冷蔵庫の前面１４３に対し垂直となる方向に延在した部位２７１ａを有することで、略垂直方向の剛性が高くなるように形成されている。
【０１２７】
これにより、剛性の高い吐出細管２７１の部位２７１ａが、回転扉１１３ａ、１１３ｂを閉じたときの衝撃力が伝達される方向（矢印Ｄ方向）と略平行関係となることから、矢印Ｄ方向の弾性変形をし難くすることで、衝撃を加えられた際の電動圧縮要素２５８の振れ回りを抑制することができる。
【０１２８】
以上のことから、回転扉１１３ａ、１１３ｂを閉めたときの衝撃による圧縮機２５０の釜当りを抑制することができるとともに、釜当りによって、生成したチッピング片を噛み込むことで生じる異常摩耗や、吐出細管２７１の疲労破断を回避することができる。よって、静音化が図れ、信頼性の高い冷蔵庫を提供することができる。
【０１２９】
また、本実施の形態によれば、図１１に示すように、回転扉１１３ａ、１１３ｂが閉まる際に箱本体２０１に衝突する衝突方向Ｄに対し、可動機構２９２を介して圧縮機２５０を凹部２２０に設置するように形成している。
【０１３０】
具体的には、密閉容器２５２の下方には、複数個の脚２５５が固着されており、各々の脚２５５に係止された弾性部材２５６、弾性部材２５６と異なる弾性率を有する弾性部材２９０を介して、衝突方向Ｄと略平行する方向へ可動する可動機構２９２に固設された固定部材２２７に固定している。可動機構２９２は凹部２２０に対して、冷蔵庫の前面１４３に対し略垂直方向にすなわち前面側から背面側へと衝撃力が衝突方向Ｄと略平行する方向にかかった場合に可動可能となるようなレールを備えており、このレールは前面側から背面側に向かってのぼり傾斜を有しているので、例えば衝撃力がかかった後や、定常の状態では前面側に配置されており、衝撃力がかかった場合のみ背面側へ移動し、その後は重力によって前面側へと戻るような構成としている。
【０１３１】
このように、本実施の形態における圧縮機２５０の外部支持部材は、弾性部材２５６，２９０および可動部材２９２とから構成されている。
【０１３２】
これにより、回転扉１１３ａ、１１３ｂが閉まる際に箱本体２０１に衝突する衝突方向Ｄに対して略平行する方向に外部から受けた振動に対し圧縮機２５０全体を衝突方向Ｄに対して平行方向Ｅへ動きやすくして衝撃力を吸収し、密閉容器２５２から電動圧縮要素２５８へ伝達する衝撃力を低減でき、圧縮機２５０の釜当りを抑制するので、静音化が図れ、信頼性の高い冷蔵庫を提供することができる。
【０１３３】
更に、本実施の形態によれば、密閉容器２５２は複数個の脚２５５に係止された弾性率の異なる複数の弾性部材２５６、２９０を介して固定されることから、回転扉１１３ａ、１１３ｂが閉まる際に箱本体２０１に衝突した場合において、圧縮機２５０が箱本体２０１から受ける衝撃力を複数の弾性部材２５６、２９０にて吸収することができ、圧縮機２５０へ伝達する衝撃力を低減できるので、圧縮機２５０の釜当りを抑制して静音化が図れ、信頼性の高い冷蔵庫を提供することができる。
【０１３４】
（実施の形態３）
図１２は本発明の実施の形態３における冷蔵庫の構成断面図、図１３は同実施の形態における冷蔵庫の正面図、図１４は同実施の形態における冷蔵庫を上方から見た回転扉の開閉軌跡の概略断面図、図１５は同実施の形態における冷蔵庫正面から見た圧縮機の縦断面図である。
【０１３５】
以下、図１２、図１３、図１４、図１５に基づいて本実施の形態の説明を進めるが、実施の形態１と同一構成については、同一符号を付して詳細な説明を省略する。
【０１３６】
図１２から図１５において、冷蔵庫は、圧縮機３５０と、圧縮機３５０に接続された吐出配管３４０と、凝縮器（図示せず）と、減圧器であるキャピラリー１４２と、水分除去を行うドライヤー（図示せず）と、庫内ファン１９１を近傍に配置した蒸発器１２８と、吸入配管３４１を環状に接続して構成される冷凍サイクルを箱本体１０１に内蔵しており、この冷凍サイクルにより生成された冷気を吐出し、貯蔵庫１０６内の温度を低下させ、食品などを冷凍、冷蔵保管する。
【０１３７】
吐出配管３４０、及び吸入配管３４１は、密閉容器３５２の側面に形成された吐出チューブ３４０ａ、吸入チューブ３４１ａと各々溶接されるとともに、冷蔵庫の前面１４３に対し略垂直方向の剛性が高くなるように形成されている。すなわち、回転扉１１３ａ、１１３ｂが閉まる際に箱本体１０１に衝突する衝突方向に対して略平行する方向の剛性を上げている。
【０１３８】
次に、圧縮機３５０の構成について説明する。
【０１３９】
密閉容器３５２の内部には、冷媒１５３としてイソブタン（Ｒ６００ａ）が充填され、冷凍機油１５４として鉱油を貯留しているとともに、電動圧縮要素３５８が配置されている。電動圧縮要素３５８は、その重心近傍にコイルばね３７０を介して弾性懸架されている。
【０１４０】
密閉容器３５２の下方には、複数個の脚３５５が固着されており、各々の脚３５５に係止された弾性部材３５６を介して、冷蔵庫の凹部３２０に固設された固定部材３２７に固定している。
【０１４１】
従って、本実施の形態によれば、圧縮機３５０のより重心に近い部分で電動圧縮要素３５８をコイルばね３７０により弾性懸架することにより、回転扉１１３ａ、１１３ｂを閉めたときに発生する衝撃力に対して重心まわりに圧縮機全体が振動する振幅を低減できることから、圧縮機３５０から冷蔵庫への振動伝達を低減できることとなり、不快な振動や、振動に起因する騒音発生の無い高品位の冷蔵庫を提供することができる。
【０１４２】
また、本実施の形態によれば、吐出配管３４０、及び吸入配管３４１は冷蔵庫の前面１４３に対し略垂直方向の剛性が高くなるように形成されている。
【０１４３】
これにより、回転扉１１３ａ、１１３ｂが閉まる際に箱本体１０１に衝突した場合において、圧縮機３５０が箱本体１０１から受ける衝撃力を吐出配管３４０、吸入配管３４１にて抑制することができ、圧縮機３５０へ伝達する衝撃力を低減できるので、圧縮機３５０の釜当りを抑制して静音化が図れ、信頼性の高い冷蔵庫を提供することができる。
【産業上の利用可能性】
【０１４４】
以上のように、本発明にかかる冷蔵庫は、静音化が図れ、かつ信頼性が高いので、家庭用や業務用の冷凍冷蔵庫に適用できる。
【図面の簡単な説明】
【０１４５】
【図１】本発明の実施の形態１における冷蔵庫の構成断面図
【図２】同実施の形態における冷蔵庫の正面図
【図３】同実施の形態における冷蔵庫を上方から見た回転扉の開閉軌跡の概略断面図
【図４】同実施の形態における冷蔵庫正面から見た圧縮機の縦断面図
【図５】同実施の形態における冷蔵庫天面から見た圧縮機の平面断面図
【図６】同実施の形態における回転扉を閉めたときの圧縮機の挙動を示す特性図
【図７】本発明の実施の形態２における冷蔵庫の構成断面図
【図８】同実施の形態における冷蔵庫の正面図
【図９】同実施の形態における冷蔵庫を上方から見た回転扉の開閉軌跡の概略断面図
【図１０】同実施の形態における冷蔵庫正面から見た圧縮機の縦断面図
【図１１】同実施の形態における回転扉を閉めたときの圧縮機の挙動を示す特性図
【図１２】本発明の実施の形態３における冷蔵庫の構成断面図
【図１３】同実施の形態における冷蔵庫の正面図
【図１４】同実施の形態における冷蔵庫を上方から見た回転扉の開閉軌跡の概略断面図
【図１５】同実施の形態における冷蔵庫正面から見た圧縮機の縦断面図
【図１６】従来の冷蔵庫の構成断面図
【図１７】従来の冷蔵庫を上方から見た回転扉の開閉軌跡の概略断面図
【図１８】従来の冷蔵庫の圧縮機の縦断面図
【符号の説明】
【０１４６】
１０１，２０１  箱本体
１０６，２０６  貯蔵室
１１３ａ，１１３ｂ  回転扉
１１８，２１８  天面
１１９，２１９  背面
１２０，２２０  凹部
１２２ａ，２２２ａ  最上段収納スペース
１２７，２２７，３２７  固定部材
１２９  隙間
１４０，２４０，３４０  吐出配管
１４１，２４１，３４１  吸入配管
１５０，２５０，３５０  圧縮機
１５２，２５２，３５２  密閉容器
１５５，２５５，３５５  脚
１５６，２５６，２９０，３５６  弾性部材
１５８，２５８，３５８  電動圧縮要素
１７０，２７０，３７０  コイルばね
１７１，２７１  吐出細管
２９２  可動機構
【図１】
0004626477.tif 000002
【図２】
0004626477.tif 000003
【図３】
0004626477.tif 000004
【図４】
0004626477.tif 000005
【図５】
0004626477.tif 000006
【図６】
0004626477.tif 000007
【図７】
0004626477.tif 000008
【図８】
0004626477.tif 000009
【図９】
0004626477.tif 000010
【図１０】
0004626477.tif 000011
【図１１】
0004626477.tif 000012
【図１２】
0004626477.tif 000013
【図１３】
0004626477.tif 000014
【図１４】
0004626477.tif 000015
【図１５】
0004626477.tif 000016
【図１６】
0004626477.tif 000017
【図１７】
0004626477.tif 000018
【図１８】
0004626477.tif 000019